(57)【要約】【課題】装着中の電池の交換が不要であって、長時間の使用が可能な付け爪を提供すると共に、付け爪を装着することにより簡易的に自己の体調を検知できる付け爪を提供する。【解決手段】体温と気温の温度差を検知し、温度差によって電力を発生させる熱電素子１５を用い、熱電素子の発生電力を装飾部２の発光電力として供給することにより、装飾部２の発光体（ＬＥＤ）４を点灯する構成を基本的に具備する。【選択図】図１
2012070778.tif 000002
【特許請求の範囲】
【請求項１】
人の爪に類似する形状に成型された付け爪本体と、
前記付け爪本体の裏面に配設される熱電素子と、
前記熱電素子が発生させる電力を電源とする端子と、
前記付け爪本体の表面に配設される装飾部とよりなり、
前記熱電素子は、該付け爪本体の表裏面の温度差を検知し、該温度差によって電力を発生させる構成を有し、
前記装飾部は、前記熱電素子が発生する電力を端子を介して供給される電力により発光する発光体を備えてなる付け爪。
【請求項２】
前記発光装飾部は付け爪本体に着脱自在に構成されてなる請求項１記載の付け爪。
【請求項３】
前記付け爪の表面は防水加工が施されていることを特徴とする請求項１記載の付け爪。
【請求項４】
前記付け爪本体の裏面に温度を計測する温度計測手段を配設し、該温度計測手段は前記熱電素子からの電力を電源として温度の計測をするよう構成してなる請求項１乃至３記載の付け爪。
【請求項５】
前記付け爪は複数の発光装飾部を配設すると共に、各発光装飾部は前記温度計測手段の計測温度により発光を制御されていることを特徴とする請求項４記載の付け爪。
【請求項６】
前記付け爪本体は、発光装飾部の発光を切換える発光切換え手段を設け、該切換え手段による発光装飾部の切換えは熱電素子が発生させる電力、または温度計測手段の計測温度により制御されていることを特徴とする請求項４または５記載の付け爪。
【請求項７】
前記発光切換え手段は、発光装飾部の切換えを配設位置に関連して制御していることを特徴とする請求項６記載の付け爪。
【請求項８】
前記発光切換え手段は、発光装飾部の発光輝度を制御していることを特徴とする請求項６記載の付け爪。
【発明の詳細な説明】
【技術分野】
【０００１】
本発明は、付け爪に関する。
【背景技術】
【０００２】
従来の付け爪において、特許文献１：特開２００９−２６８８９３号公報では、薄板状電池とＬＥＤ装飾を用いた付け爪が開示されている。
【先行技術文献】
【特許文献】
【０００３】
【特許文献１】特開２００９−２６８８９３号公報
【発明の概要】
【発明が解決しようとする課題】
【０００４】
上記特許文献１には、付け爪に薄板状電池が配設され、電池からの電源供給でＬＥＤが発光する構成が開示されている。そして、電池が切れるとＬＥＤ部を取り外し、付け爪部（電池）を交換・廃棄しなければならなかった。ここで使用されている薄板状電池は付け爪仕様の特別な形状となっている。通常、汎用性が無い電池は高価で、利用者にとっては電池の交換が経済的負担となり、この種付け爪の販路拡大に支障となっていた。また、電池の交換時期は不定期に訪れるため、使用中にＬＥＤが消灯する恐れも考えられる。
【０００５】
そこで、本発明は装着中の電池の交換が不要であって、長時間の使用が可能な付け爪を提供するものである。また、手先の体温は、体調と深く関係があり、手先の体温を知ることは自己の体調を管理する上で非常に有効であることから、付け爪を装着することにより簡易的に自己の体調を検知できれば有用である。
【課題を解決するための手段】
【０００６】
本発明は、付け爪の表裏面の温度差を検知し、温度差によって電力を発生させる熱電素子を用い、熱電素子の発生電力を装飾部の発光電力として供給することにより、装飾部の発光体（ＬＥＤ）を点灯する構成を基本的に具備する。
また、装飾部を着脱自在とする構成、指先の温度を計測する温度計測手段を配設する構成、装飾部の発光体の発光を切換える発光切換え手段を配設する構成を具備する。
【発明の効果】
【０００７】
本発明の付け爪は、使用者が付け爪を装着している間は付け爪の表裏面の温度差による電源の供給が途切れることなく、電源の交換も不要で長期間使用できる。また、爪に付け爪を装着することにより温度計測手段が手先の体温を検知することにより、使用者は装着時の体調を知ることができる。
さらに、装飾部の発光体の発光切換えを、温度計測手段の測定温度により行うことで、簡易的な自己の体調管理、および装飾効果の向上が図れる。
【図面の簡単な説明】
【０００８】
【図１】本発明の付け爪の斜視図
【図２】装飾部の説明図
【図３】付け爪の部分断面図
【図４】取替え用装着部の説明図
【図５】実施例１の付け爪本体の斜視図
【図６】実施例１の付け爪の着脱機構の説明図
【図７】実施例１の取替え用装飾部の装着説明図
【図８】実施例２の付け爪本体の斜視図
【発明を実施するための形態】
【０００９】
本発明の実施の形態を図面を参照して詳細に説明する。
図１は本発明の付け爪の斜視図、図２は装飾部の説明図、図３は付け爪の部分断面図である。
付け爪１０は付け爪本体１と、付け爪本体１の裏面に配設する熱電素子１５とを備えている。
付け爪本体１は合成樹脂などで、人の爪に類似の形状に成型されている。付け爪本体１は、装飾部２と端子３を備えている。ここで、この図面に示す付け爪本体１には装飾部が複数配設された例を示しているが、装飾部の構成は同一となっているので、説明の便宜上一箇所の装飾部２を詳述する。
装飾部２は、付け爪本体１の表面に設けられる。装飾部２は付け爪本体１と同様に合成樹脂などで付け爪本体１の曲面と同じ曲率を有する湾曲面に成型されており、付け爪本体１の上面に配設されて爪の装飾を行う。
装飾部２の表面には発光体であるＬＥＤ素子４が配設されている。
装飾部２の裏面には、ＬＥＤ素子４に連絡する陽極と陰極が一対となる電極５が設けられている。付け爪本体１の端子３と装飾部２の電極５が接続することにより、ＬＥＤ素子４は熱電素子１５から電力の供給を受け、ＬＥＤ素子４が発光する。
【００１０】
付け爪本体１の裏面には、熱電素子１５が配設されている。
熱電素子１５は、付け爪本体１の表面１ａと熱電素子１５の裏面１５ａの温度差を用いて電力を発生させる素子で構成されている。例えばペルチェ素子が用いられる。すなわち、付け爪本体１の裏面（熱電素子１５の裏面）は使用者の爪に接しており、付け爪本体１の表面は外気となっているので、付け爪本体１の表面１ａと熱電素子１５の裏面１５ａの温度差とは、使用者の爪（指先）の温度（体温）と付け爪１０の表面との温度差となる。長時間使用すると、付け爪の表面温度は外気温と同じとなってゆくので、体温と外気の温度差となってゆく。このように、本付け爪を使用した場合、体温と付け爪の表面の温度差、あるいは、使用者の爪の温度（体温）と外気の温度差を利用して、この熱電素子１５は電力を発生させている。
【００１１】
このように熱電素子１５が発生した電力は端子３を通じてＬＥＤ素子４へ電力を供給する構成となっている。
利用者が付け爪を外している間は、付け爪１０は表裏面での温度差が無くなり、熱電素子１５は電力を発生させることがない。この状態では装飾部２への電力供給は行われず、ＬＥＤ素子４は消光している。
【００１２】
使用者が付け爪１０を取り付けている間は、体温と付け爪の表面、あるいは、外気温の温度差により熱電素子１５は電力を発生させ、端子３から装飾部２の電極に電力を供給してＬＥＤ素子４を発光させる。
このように本付け爪１０は装飾部２のＬＥＤ素子４を発光させることにより、付け爪１０の装飾の効果を増加させる構成となっている。
さらに、熱電素子１５は、付け爪１０の表面と裏面の温度差が大きいほど発生する電力が大きくなる。このことは、例えば付け爪１０を冷蔵庫のような定温の容器（または、専用の恒温保存が可能な容器など）に保管した場合、装着前の付け爪１０の温度は定温となっている。この定温の付け爪１０を装着した時の電力の発生量は装着した使用者の体温に応じて大きくなることで実証されている。
電力発生量が大きい場合、すなわち、爪の温度（体温）と付け爪１表面温度、あるいは外気温との差が大きい場合、装飾部２への電力の供給が大きくなり、ＬＥＤ素子４の発光輝度が増す。この現象からＬＥＤ素子４の発光輝度が高いと体温が高いことが推測できる。
【００１３】
以上の事柄より、次のような体調と装飾部の発光体との関係が成り立つ。
体温が高い場合：爪の温度（体温）と付け爪１表面温度（あるいは外気温）との差が大きくなり、熱電素子の発電量が大きくなる。装飾部２への電力の供給が大きくなり、ＬＥＤ素子４の発光輝度が増す。
体温が低い場合：爪の温度（体温）と付け爪１表面温度（あるいは外気温）との差が少なく、熱電素子の発電量が小さくなる。装飾部２への電力の供給が小さくなり、ＬＥＤ素子４の発光輝度は低い。
【００１４】
このように、使用者は装着時の装飾部２の発光輝度を見ることにより体温の高低を判断し、使用者の体調をある程度検知することができる。このとこから、毎日本付け爪１０を使用することにより、日々の体温の高低を知り、体調を管理することができる。
また、付け爪１０の表面を防水加工する。表面を防水加工により保護された付け爪１０は、使用者が付け爪を装着したまま水を扱うような場合であっても、水の進入による回路の故障を生じることがない。
【実施例】
【００１５】
実施例１
この実施例は装飾部を着脱可能としている。・・図４〜図７参照
付け爪１０の装飾部２０を、着脱して取り替えることにより趣向に合わせての装着・使用することができる。
この実施例においては装飾部のＬＥＤ素子の配設位置、配設数、ＬＥＤ素子の大きさなどが異なる数種類の取替え用装飾部２０（２０ａ、２０ｂ、２０ｃ）を別体として用意し、使用者の好みに応じて装飾部２を交換することができる。
取替え用装着部２０ａは、表面のＬＥＤ素子４０の配設位置を異ならせて配置している。取替え用装着部２０ｂは、ＬＥＤ素子４０の配設を２箇所としている。取替え用装着部２０ｃは、ＬＥＤ素子の大きさを大きくしている。各取替え用装着部２０ａ、２０ｂ、２０ｃの裏面には付け爪本体１の端子３に接続可能な陽極・陰極５を配設している。
なお、取替え用装飾部のＬＥＤ素子の配設形態は上記のものに限られるものではなく、趣向の異なるいかなる形態としても良い。
【００１６】
次に、取替え用装飾部の着脱機構を説明する。
便宜上、ＬＥＤ素子４０を１個配設した取替え用装飾部２０を説明する。・・図５，６参照
表面にＬＥＤ素子４０を配設した取替え用装着部２０は、裏面に付け爪本体1に係合する係合突起２５を突設している。係合突起２５はＬＥＤ素子４０に対応する裏面に配設する電極５を中心とした周縁に突設する。係合突起２５は取替え用装飾部２０と同じ樹脂、あるいはシリコン製で形成している。これにより、取替え用装飾部を付け爪本体に取り付けた場合においても防水効果を果たすものである。
【００１７】
付け爪本体１には、取替え用装飾部２０の突起２５が嵌合する溝１７を形成した凹部１７０を凹設している。凹部１７０には端子３０を配設している。
ここで、取替え用装着部２０の係合突起２５、付け爪本体の凹部１７０は上下（あるいは左右）の形状を非対称としている。図面に示す形状は約５角形状として上下形状を非対称形状としている。このように形成することにより、取替え用装着部２０を付け爪本体１の凹部１７０に方向を逆にして嵌めて、端子を逆に接続する危惧を回避している。
【００１８】
付け爪本体1に取替え用装着部２０を装着する場合を図７（便宜上取替え用装着部の裏面を実線で示している）により説明する。
取替え用装着部２０の係合突起２５を付け爪本体１の凹部１７０に嵌合して取り付ける。このとき、取替え用装飾部２０の陽極・陰極５を付け爪本体１の凹部に、方向を合致させて嵌合させ端子３０に接続して取り付ける。
取替え用装飾部２０は端子３０から電力を受けてＬＥＤ素子４０が発光して明るく豪華な装飾効果が達成できる。
このように装飾部を着脱自在な構成とすることにより、多種類の発光装飾による付け爪１０の趣向を広げられるとともに、装飾効果をさらに増すことができる。
【００１９】
実施例２
この実施例は、本発明の付け爪を用いて装飾効果に加えて体調管理の効果を補助することができる形態例である。・・図８参照
付け爪本体１００は装飾部２０１から２０６の６個の装飾部が配設されている。各装飾部２０１〜２０６はその表面にＬＥＤ素子４が配設されている。各装飾部２０１〜２０６は陽極・陰極の電極が設けられており、熱電素子１５が発生する電力を端子３を通じて電極から供給され、ＬＥＤ素子４が発光する構成となっている。
さらに、この付け爪１０Ａには、熱電素子１５の発生電力によって駆動される体温検知手段である温度センサー６、電力供給切換え手段７が配設されている。
温度センサー６は、付け爪１０Ａの裏面に設けられており、使用者がつけ爪１０Ａをつけたとき、使用者の指先の体温を計測する。
電力供給切換え手段７は、温度センサー６に隣接して配設されており、温度センサー６の出力によって電力の供給を切換えて、装飾部２０１から２０６のＬＥＤ素子４のいずれかを発光させる。
【００２０】
電力供給切換え手段７は、温度センサー６の体温計測結果によって、発光切換え手段７の出力が制御されている。例えば、体温が上昇している場合を説明する。体温が上昇すると電力の発生が大きくなる。電力量が大きいときは、複数ある装飾部２のうち指先に配設する装飾部２０１に電力を供給し装飾部２０１のＬＥＤ素子を発光させるように制御する。
体温が下降している場合を説明する。体温が下降すると電力の発生は小さくなる。この場合は、指元に配設する装飾部２０６に電力を供給して装飾部２０６のＬＥＤ素子を発光させるように制御する。
以上のように制御することで、図示の場合は６個の装飾部を配設して６段階に体温表示が可能となる。
また、装飾部を９個配設する場合は、装飾部全体を２進数表示器と見なし、２の９乗段階（例：０〜５１１）の例えば、００．０度〜５１．１度までの温度表示を行うようにする。
なお、装飾部の配設個数はこの例示に制限されることなく必要に応じて適宜数とすることができる。
【００２１】
以上のように、本発明の熱電素子は付け爪の表裏の温度差で電圧を発生させる構成であるが、付け爪を温度一定の保管庫に保管した状態での装着においては、付け爪の表面温度は保管庫の温度となりこの温度を基準として付け爪裏面の温度差を計測できるが、長時間付け爪を装着していると、付け爪の表面は外気温と同じになり、付け爪の裏面（体温）との温度差は外気温に左右され、体温表示としては基準のある表示とはならない。このような場合であっても、温度センサーを設けることにより、温度センサーを作動させる電力とＬＥＤ素子を発光させるに十分な電力を発生させる温度差がある限りは長時間であっても体温に順じたＬＥＤ素子の表示切換が可能となる。
【００２２】
以上のように、利用者は自己の体温の詳細状態をより簡単に知ることができ、自分の健康状態の的確な管理をすることが可能となる。
【符号の説明】
【００２３】
１  １００  付け爪本体
２  ２０  装飾部
３  ３０  端子
４  ４０  発光体（ＬＥＤ素子）
６  温度センサー
７  発光切換え手段
１０  １０Ａ  付け爪
１５  熱電素子
１７  溝
２０  取替え装飾部
２５  係合突起
１７０  凹部
【図１】
2012070778.tif 000003
【図２】
2012070778.tif 000004
【図３】
2012070778.tif 000005
【図４】
2012070778.tif 000006
【図５】
2012070778.tif 000007
【図６】
2012070778.tif 000008
【図７】
2012070778.tif 000009
【図８】
2012070778.tif 000010